(57)【要約】【課題】携帯端末を用いる顧客の個人データ等の情報漏洩を防止しながら給油を行う給油装置等を提供する。【解決手段】携帯端末４から給油設定に関する情報を読み取る読取手段１０を備え、読取手段が携帯端末から前記情報を読み取ると、給油設定がなされる給油装置２。給油設定に関する情報は、油種、決済カード番号及び給油量を含んでもよく、読取手段は、前記携帯端末に表示された識別コードを読み取ることができる。給油後に得られる該給油に関する情報に基づいて精算に関する情報を生成する精算情報生成手段と、精算に関する情報を識別コードとして表示する表示手段１５とを備えてもよい。給油装置において給油後に得られる該給油に関する情報に基づき、精算に関する情報を生成する精算情報生成手段と、生成された精算に関する情報を決済カード会社５に出力する出力手段とを備えるＰＯＳ端末３、及び該ＰＯＳ端末と前記給油装置とを備える給油所システム１。【選択図】図１
2020070089.tif 000002
【特許請求の範囲】
【請求項１】
携帯端末から給油設定に関する情報を読み取る読取手段を備え、
該読取手段が前記携帯端末から前記情報を読み取ると、該給油装置の給油設定がなされることを特徴とする給油装置。
【請求項２】
前記給油設定に関する情報は、油種、決済カード番号及び給油量を含むことを特徴とする請求項１に記載の給油装置。
【請求項３】
前記読取手段は、前記携帯端末に表示された識別コードを読み取ることを特徴とする請求項１又は２に記載の給油装置。
【請求項４】
給油後に得られる該給油に関する情報に基づいて精算に関する情報を生成する精算情報生成手段と、
該精算に関する情報を識別コードとして表示する表示手段とを備えることを特徴とする請求項１、２又は３に記載の給油装置。
【請求項５】
前記読取手段によって前記情報を読み取った際に、該情報に含まれる油種に対応する給油ノズルのみの取り外しを許可するノズル掛けを備えることを特徴とする請求項２、３又は４に記載の給油装置。
【請求項６】
請求項１乃至５のいずれかに記載の給油装置において給油後に得られる該給油に関する情報に基づき、精算に関する情報を生成する精算情報生成手段と、該精算情報生成手段で生成された精算に関する情報を決済カード会社に出力する出力手段とを備えることを特徴とするＰＯＳ端末。
【請求項７】
請求項１乃至５のいずれかに記載の給油装置と、請求項６に記載のＰＯＳ端末とを備えることを特徴とする給油所システム。
【発明の詳細な説明】
【技術分野】
【０００１】
本発明は、給油装置、ＰＯＳ端末及び給油所システムに関し、特に、顧客の携帯端末と情報の授受を行うことで給油及び精算を行う給油装置等に関する。
【背景技術】
【０００２】
近年、人件費削減等の目的で給油作業、窓拭き等のサービス作業、及び給油料金の精算作業を顧客自身が行うセルフサービス方式の給油所が急増している。このようなセルフサービス方式の給油所では、給油案内のための表示や音声に従って顧客が給油装置を操作して油種や給油量等の給油設定データを入力すると共に、給油終了後に料金精算を行う。
【０００３】
一方、最近では、スマートフォン、タブレット等の携帯端末が普及し、通話だけでなく、インターネットを介してデータを送受信したり、その他各種サービスを受けることができる。
【０００４】
本出願人は、インターネット等の通信ネットワークを利用して携帯端末から給油設定データを入力できると共に、料金精算の簡略化を図った給油所システムを提案した（特許文献１参照）。
【先行技術文献】
【特許文献】
【０００５】
【特許文献１】特開２００２−２３４６００号公報
【発明の概要】
【発明が解決しようとする課題】
【０００６】
上記特許文献１に記載の発明も有効であるが、給油装置と、給油所用販売装置と、給油情報統括センターと、元売りセンター等でシステムが構成され、給油設定及び料金精算を行う際に、各々の装置やセンターに設けられた機器が通信ネットワークを介して互いに通信する必要がある。そのため、携帯端末に登録された個人データ等が漏洩するおそれがあった。
【０００７】
そこで、本発明は、携帯端末を用いる顧客の個人データ等の情報漏洩を防止しながら給油を行う給油装置等を提供することを目的とする。
【課題を解決するための手段】
【０００８】
上記目的を達成するため、本発明の給油装置は、携帯端末から給油設定に関する情報を読み取る読取手段を備え、該読取手段が前記携帯端末から前記情報を読み取ると、該給油装置の給油設定がなされることを特徴とする。
【０００９】
本発明によれば、顧客が予め給油設定データを携帯端末に登録し、携帯端末上に表示される給油設定データを給油装置に読み取らせれば、給油装置の給油設定を簡単に行うことができて煩わしい給油設定を簡略化することができると共に、通信手段で給油設定データを受信しないため、顧客の個人データ等の漏洩を防止することができる。
【００１０】
前記給油設定に関する情報が油種、決済カード番号及び給油量を含むことで、混油及び給油量の設定間違いを防止することができると共に、給油料金の精算を容易かつ確実に行なうことができる。
【００１１】
前記読取手段を前記携帯端末に表示された識別コードを読み取るように構成することで、給油設定に関する情報を暗号化し、情報漏洩をさらに効果的に防止することができる。
【００１２】
給油後に得られる該給油に関する情報に基づいて精算に関する情報を生成する精算情報生成手段と、該精算に関する情報を識別コードとして表示する表示手段とを備えることができる。これにより、携帯端末で識別コードを読み取れば、読み取った精算データに基づいてクレジットカード決済ができるため、給油所側の精算に係わる設備投資を軽減することができる。
【００１３】
前記読取手段によって前記情報を読み取った際に、該情報に含まれる油種に対応する給油ノズルのみの取り外しを許可するノズル掛けを備えることで、混油を確実に防止することができる。
【００１４】
また、本発明は、ＰＯＳ端末であって、上記いずれかの給油装置において給油後に得られる該給油に関する情報に基づき、精算に関する情報を生成する精算情報生成手段と、該精算情報生成手段で生成された精算に関する情報を決済カード会社に出力する出力手段とを備えることを特徴とする。このＰＯＳ端末によれば、顧客が精算に関する特別な操作を行う必要がなく、利便性が向上する。また、給油所側にとって、顧客の滞留時間が短縮され、顧客の回転効率が向上する。
【００１５】
さらに、本発明は、給油所システムであって、上記いずれかの給油装置と、上記ＰＯＳ端末とを備えることを特徴とする。この給油所システムによれば、携帯端末を用いる顧客の個人データ等の情報漏洩を防止しながら、給油料金の精算を容易かつ確実に行なうことなどが可能となる。
【発明の効果】
【００１６】
以上のように、本発明によれば、携帯端末を用いる顧客の個人データ等の情報漏洩を防止しながら給油を行う給油装置等を提供することができる。
【図面の簡単な説明】
【００１７】
【図１】本発明に係る給油所システムの第１の実施形態を示す概略図である。
【図２】図１に示す給油所システムを利用する顧客の携帯端末の表示画面の推移を示す概略図である。
【図３】図１に示す給油所システムの動作を示すフローチャートである。
【図４】本発明に係る給油所システムの第２の実施形態を示す概略図である。
【図５】図４に示す給油所システムの動作を示すフローチャートである。
【発明を実施するための形態】
【００１８】
次に、本発明を実施するための形態について、図面を参照しながら詳細に説明する。
【００１９】
図１は、本発明に係る給油所システムの第１の実施形態を示し、この給油所システム１は、給油装置２と、ＰＯＳ端末３とで構成される。
【００２０】
給油装置２は、識別コード読取部１０と、給油ノズル１２を一端に有する給油ホース１１と、給油ノズル１２が掛けられるノズル掛け１３と、給油量表示部１４と、情報表示部１５とを備える。また、図示及び説明を省略するが、給油装置２には、ノズルＳＷ（スイッチ）、流量計、給油モータ、流量パルス発信器等の一般的な給油機構が設けられる。
【００２１】
識別コード読取部１０は、携帯端末４に表示されたＱＲコード（登録商標）やバーコード等の識別コード（以下単に「識別コード」という。）を読み取るために設けられる。
【００２２】
ノズル掛け１３には、ノズルロック部１６が設けられ、ノズル掛け１３の上部には給油設定に対応する油種の給油ノズル１２を案内するためのガイドランプ１７が設けられる。
【００２３】
図示を省略するが、給油装置２は給油データから精算データを生成する手段を備え、情報表示部１５は、生成した精算データを識別コードで表示するために設けられる。
【００２４】
ＰＯＳ端末３は、精算処理や売上げの管理等を行うために設けられ、給油装置２と通信可能に接続されている。
【００２５】
携帯端末４は、顧客が所有するスマートフォンや、タブレット等であって、給油設定データを登録する機能と、給油設定データを識別コードとして表示する機能と、給油装置２に表示された識別コードを読み取る機能と、決済カード会社５と通信する機能等を備える。
【００２６】
次に、上記構成を有する給油所システム１の動作について図１乃至図３を参照しながら説明する。
【００２７】
まず、図３のステップＳ１に対応する給油設定データの登録を行う。顧客は携帯端末４を操作して予め取得したアプリケーションを起動する。図２（ａ）に示す携帯端末４の表示画面の「登録」を選択し、図２（ｂ）で給油情報として「車番」、「油種」及びユーザー情報として「決済カードＮＯ．」を給油設定データとして入力及び選択する。図２（ｃ）において、給油所システム１を利用したい車両が１台のみであれば、「登録終了」を選択し、複数台利用する場合には、「登録継続」を選択して図２（ｂ）の入力を繰り返し行う。
【００２８】
図２（ｃ）で「登録終了」を選択すると、図２（ａ）へと戻る。同図で「設定」を選択し、図２（ｄ）で登録した車両の中から所望の車両番号を選択する。ここでは、車両「１」を選択したこととする。図２（ｅ）で給油量を入力又は選択する。ここでは、「満タン」を選択したこととする。これで給油設定データの登録は終了する。
【００２９】
給油設定データの登録動作が終了すると（図３、ステップＳ１；Ｙｅｓ）、図２（ｆ）に示すように、携帯端末４の表示画面に給油設定データを表す識別コードが表示される（図３、ステップＳ２）。顧客は表示された識別コードを給油装置２の識別コード読取部１０にかざす。図２（ｆ）で「消去」を選択することで、表示された識別コードを消去できるが、携帯端末２の識別コードの表示時間Ｔに上限ｔ２を設け、表示時間Ｔが上限ｔ２に達した場合（ステップＳ３；Ｙｅｓ）、表示された識別コードを消去することができる（ステップＳ４）。
【００３０】
給油装置２は、ステップＳ５において、識別コード読取部１０を介して識別コードを読み取ると（ステップＳ５；Ｙｅｓ）、読み取った給油設定データを情報表示部１５に表示し、顧客に給油設定の確認を促す（ステップＳ６）。
【００３１】
表示された給油設定で問題なければ、ステップＳ７において、顧客は情報表示部１５に表示された「ＯＫ」を押下し（ステップＳ７；Ｙｅｓ）、給油装置２は、ガイドランプ１７を点灯し、対応する油種の給油ノズル１２が掛けられたノズル掛け１３のノズルロック部１６の係合を解除すると共に、「ノズルを外してください」と報知する（ステップＳ８）。
【００３２】
顧客が対応する油種の給油ノズル１２をノズル掛け１３から取り外すと、ステップＳ９において、ノズルＳＷがＯＮとなり（ステップＳ９；Ｙｅｓ）、ガイドランプ１７を消灯し、給油装置２の給油量表示部１４にリセット信号が送信され、前回なされた給油に関する情報の帰零（リセット）がなされると共に、給油モータが駆動する（ステップＳ１０）。
【００３３】
ステップＳ１１において、流量パルス発信器がＯＮになり、流量パルス発信器からパルス信号が送信され（ステップＳ１１；Ｙｅｓ）、計数データが給油量表示部１４に表示される（ステップＳ１２）。
【００３４】
ステップＳ１３において、ノズルＳＷがＯＦＦになると（ステップＳ１３；Ｙｅｓ）、給油が終了して顧客が給油ノズル１２をノズル掛け１３に戻したと判断し、ノズルロック部１６を係合して給油モータの駆動を停止し（ステップＳ１４）、給油データをＰＯＳ端末３へ出力する（ステップＳ１５）。ＰＯＳ端末３は、ステップＳ１６において、給油データが入力されると（ステップＳ１６；Ｙｅｓ）、給油データを顧客毎に保存する（ステップＳ１７）。
【００３５】
給油装置２は、給油データに基づいて精算データを生成し、生成した精算データを情報表示部１５に識別コードで表示する（ステップＳ１８）。顧客は携帯端末４で表示された識別コードを読み取る。ここで、識別コードの表示時間Ｔに上限ｔ１を設け、表示時間Ｔが上限ｔ１に達した場合（ステップＳ１９；Ｙｅｓ）、識別コードの表示を消去することができる（ステップＳ２０）。
【００３６】
携帯端末４は、ステップＳ２１において、顧客が給油装置２の情報表示部１５に表示された識別コードを読み取ると（ステップＳ２１；Ｙｅｓ）、決済カード会社５に精算データを出力する（ステップＳ２２）。決済カード会社５は、ステップＳ２３において、精算データが入力されると（ステップＳ２３；Ｙｅｓ）、決済を行い（ステップＳ２４）、決済データを携帯端末４に出力する（ステップＳ２５）。携帯端末４は、ステップＳ２６において、決済データが入力されると（ステップＳ２６；Ｙｅｓ）、給油明細を表示する（ステップＳ２７）。
【００３７】
以上のように、本実施の形態によれば、給油設定及び精算手続を簡略化し、情報漏洩及び混油を防止しながら給油を行うことができる。
【００３８】
次に、本発明に係る給油所システムの第２の実施形態について、図４及び図５を参照しながら説明する。
【００３９】
図４は、本発明に係る給油所システムの第２の実施形態を示し、この給油所システム２１は、上記給油所システム１と同様に給油装置２２と、ＰＯＳ端末２３とで構成されるが、本実施の形態における給油装置２２は、精算データを生成する手段及び生成した精算データを識別コードとして表示する手段（図１の情報表示部１５）を備えず、その代わりにＰＯＳ端末２３が精算データを生成する手段と、生成した精算データを決済カード会社５へ送信する手段を有する。
【００４０】
給油所システム２１のその他の構成は、上記給油所システム１と同一であるため、説明を省略する。次に、上記構成を有する給油所システム２１の動作について説明する。
【００４１】
携帯端末４による給油データの登録（ステップＳ１）から、給油装置２２で実際に給油が行われて給油データをＰＯＳ端末２３へ出力する（ステップＳ１５）までは、上記給油所システム１の場合と同じである。
【００４２】
ＰＯＳ端末２３は、ステップＳ３１において、給油データが入力されると（ステップＳ３１；Ｙｅｓ）、給油データを顧客毎に保存するとともに（ステップＳ３２）、給油データに基づいて精算データを生成して決済カード会社５に出力する（ステップＳ３３）。
【００４３】
決済カード会社５は、ステップＳ３４において、精算データが入力されると（ステップＳ３４；Ｙｅｓ）、決済を行い（ステップＳ３５）、生成した決済データを携帯端末４に出力する（ステップＳ３６）。
【００４４】
携帯端末４は、ステップＳ３７において、決済データが入力されると（ステップＳ３７；Ｙｅｓ）、給油明細を表示する（ステップＳ３８）。
【００４５】
以上のように、本実施の形態によれば、顧客が携帯端末４を介して識別コードを読み取らずに精算を行うことができるため、上記第１の実施形態よりも情報漏洩をさらに確実に防止することができ、顧客の回転効率も向上する。
【符号の説明】
【００４６】
１  給油所システム
２  給油装置
３  ＰＯＳ端末
４  携帯端末
５  決済カード会社
１０  識別コード読取部
１１  給油ホース
１２  給油ノズル
１３  ノズル掛け
１４  給油量表示部
１５  情報表示部
１６  ノズルロック部
１７  ガイドランプ
２１  給油所システム
２２  給油装置
２３  ＰＯＳ端末
【図１】
2020070089.tif 000003
【図２】
2020070089.tif 000004
【図３】
2020070089.tif 000005
【図４】
2020070089.tif 000006
【図５】
2020070089.tif 000007